(57)【要約】【課題】洗濯機を直接載置した場合であっても排水トラップのメンテナンス性を維持することが可能な小さいトラップを取り付けることにより設置幅を増やす必要のない防水パンを提供する。【解決手段】床面に設置されて洗濯機が載置される長方形の板状に形成された底面部１０と、底面部１０の外周に設けられた縦壁部２０と、を有し、底面部は、排水トラップ２００を取り付ける取付孔３０を備え、取付孔の中心Ｃｐは、底面部の短辺ＳＳ側に設けられた縦壁部２１から５０ｍｍ以上、かつ、１２３ｍｍ未満の範囲に位置する、防水パン１００。【選択図】図２
2017002547.tif 000002
【特許請求の範囲】
【請求項１】
床面に設置されて洗濯機が載置される長方形の板状に形成された底面部と、
前記底面部の外周に設けられた縦壁部と、を有し、
前記底面部は、排水トラップを取り付ける取付孔を備え、
前記取付孔の中心は、前記底面部の短辺側に設けられた縦壁部から５０ｍｍ以上、かつ、１２３ｍｍ未満の範囲に位置する、防水パン。
【請求項２】
前記取付孔の直径は、８０ｍｍ以上、かつ、１１９ｍｍ未満である、請求項１に記載の防水パン。
【請求項３】
前記洗濯機の脚部を載置する載置面を備えるとともに前記載置面が前記縦壁部の高さを超えない架台が、前記底面部に一体的に形成され、または前記底面部に対して着脱自在に取り付けられる、請求項１または請求項２に記載の防水パン。
【請求項４】
少なくとも１つの給水口を備える、請求項１〜３のいずれか１項に記載の防水パン。
【請求項５】
前記給水口は、前記底面部、または、前記縦壁部の頂部に配置されてなる、請求項４に記載の防水パン。
【請求項６】
前記底面部には、頂部の高さが前記底面部より高く、前記縦壁部の高さ未満の台座部が設けられ、
前記給水口は、前記台座部の頂部に配置されてなる、請求項４に記載の防水パン。
【請求項７】
前記給水口は、浴槽において使用した水の供給用の給水口である、請求項４〜６のいずれか１項に記載の防水パン。
【請求項８】
請求項１〜７のいずれか１項に記載の防水パンと、前記防水パンの前記底面部が備える前記取付孔に取り付けられた排水トラップと、を含む防水パンおよび排水トラップの組立体であって、
前記排水トラップは、洗濯機からの排水が流れ込む第１流路に、前記底面部内の水が流れ込む第２流路を導くことによって、前記第１流路と前記第２流路とを別個に設ける場合に比較して、封水を蓄える椀の直径を小さくしてなる、防水パンおよび排水トラップの組立体。
【請求項９】
前記椀の直径は、６０〜７０ｍｍである、請求項８に記載の防水パンおよび排水トラップの組立体。
【発明の詳細な説明】
【技術分野】
【０００１】
本発明は、洗濯機を載置する防水パンおよび排水トラップの組立体に関する。
【背景技術】
【０００２】
従来から、洗濯機の脚部が載置される架台と、排水トラップが取り付けられる取付孔を備えた防水パンがある（特許文献１参照）。
【０００３】
当該防水パンにおいて、取付孔は、当該防水パンに洗濯機が設置された状態において、洗濯機の下方に位置している。そして、架台の高さは、排水トラップのメンテナンス性を向上させることを目的に、排水トラップの防臭筒および封水椀を傾斜させることなく取り出せるように、排水トラップの高さよりも高く設定されている。
【先行技術文献】
【特許文献】
【０００４】
【特許文献１】特許第５１３０４４７号公報
【発明の概要】
【発明が解決しようとする課題】
【０００５】
洗濯機において、洗濯物の投入口の高さは洗濯機の種類によって異なる。例えば、洗濯物の投入口が水平方向に向いている洗濯機（以下、横型洗濯機という）よりも、洗濯物の投入口が垂直方向に向いている洗濯機（以下、縦型洗濯機という）の方が、投入口の高さが高い傾向にある。
【０００６】
上述した防水パンに、横型洗濯機を載置した場合には、架台の高さの分だけ投入口の高さが増しても洗濯物の取り出しにおける作業性はそれほど低下しない。一方で、縦型洗濯機を載置した場合、洗濯物の投入口の高さが架台の高さの分だけ増すことによって、洗濯物の取り出しにおける作業性が低下する。特に、洗濯槽の底部にある洗濯物は、非常に取り出しにくくなる。そのため、背の低い人が作業する際には、踏み台に乗って洗濯物を取り出さなければならないこともある。従って、洗濯機の種類によっては、防水パンに架台を設けずに、防水パンに洗濯機を直接載置した方が、洗濯機の投入口の高さを洗濯物の出し入れ等の作業に適した高さにする上で好ましい場合がある。
【０００７】
しかしながら、上述した防水パンの場合、設置された洗濯機の下方に取付孔が位置している。そのため、洗濯機を防水パンに直接載置した場合、取付孔に取り付けられている排水トラップを取り外すためには、防水パンに設置された洗濯機を移動しなければならなくなる。すなわち、排水トラップのメンテナンス性が低下するという問題がある。
【０００８】
当該問題を回避するために、防水パンの幅方向の長さを増やして、洗濯機が設置される領域とは異なる位置に取付孔を配置することが考えられる。この場合の洗濯機用防水パンにおける取付孔の径と配置位置は、一般財団法人ベターリビングが定める優良住宅部品認定基準に基づいて設定されている。具体的には、取付孔の径が１１９ｍｍ（±１．０ｍｍ以内）、取付孔の中心が防水パンの短辺端部または長辺端部より１２３ｍｍ（±２．５ｍｍ以内）になるように設定されている。さらに、洗濯機を防水パンに直接載置した場合には、設置された洗濯機と取付孔との間の空間に余裕がないため、作業スペースを確保するために、取付孔を洗濯機の設置領域に近接して配置できない。従って、洗濯機が設置される領域とは異なる位置に取付孔を配置するためには、防水パンの幅方向の長さを大幅に増やす必要がある。その結果、防水パンの設置幅が増加することによって、防水パンを設置できる場所が限られてしまうという問題がある。
【０００９】
そこで、本発明は、上記課題を解決するためになされたものであり、洗濯機を直接載置した場合であっても排水トラップのメンテナンス性を維持することが可能な小さいトラップを取り付けることにより設置幅を増やす必要のない防水パンを提供することを目的とする。
【課題を解決するための手段】
【００１０】
上記目的を達成する本発明に係る防水パンは、床面に設置され洗濯機が載置される長方形の板状に形成された底面部と、底面部の外周に設けられた縦壁部と、を有し、底面部は、排水トラップを取り付ける取付孔を備え、取付孔の中心は、底面部の短辺側に設けられた縦壁部から５０ｍｍ以上、かつ、１２３ｍｍ未満の範囲に位置する。
【発明の効果】
【００１１】
本発明に係る防水パンによれば、洗濯機の設置領域に取付孔が近接して配置されていても、従来の防水パンと比較して防水パンの幅を増加させることなく、排水トラップを容易に取り出すことができる。従って、洗濯機を直接載置した場合であっても排水トラップのメンテナンス性を維持することが可能な設置幅を増やす必要のない防水パンを提供できる。
【図面の簡単な説明】
【００１２】
【図１】実施形態に係る防水パンに排水トラップを取り付けた組立体を示す斜視図である。
【図２】同組立体を示す平面図である。
【図３】図３（Ａ）は、同組立体の正面図であり、図３（Ｂ）は、同組立体の側面図である。
【図４】同組立体を図２中に示す４−４線に沿って示す断面図である。
【図５】図５（Ａ）は、同組立体を図２中に示す５−５線に沿って排水トラップを省略して示す部分端面図であり、図５（Ｂ）は、図５（Ａ）の破線部Ｍ１によって囲まれる部分に対応する拡大図である。
【図６】同組立体における洗濯機の設置領域を示す平面図である。
【図７】実施形態に係る排水トラップを構成部材毎に分解して示す分解斜視図である。
【図８】同排水トラップが実施形態に係る防水パンに取り付けられた状態の図５（Ａ）の破線部Ｍ２によって囲まれる部分に対応する拡大図である。
【図９】比較例の排水トラップを示す断面図である。
【図１０】図１０（Ａ）は、実施形態に係る防水パンの取付孔から実施形態に係る排水トラップ内の椀および封水筒を取り出す様子を示す概略図であり、図１０（Ｂ）は、比較例の防水パンの取付孔から比較例の排水トラップ内の椀、封水筒および消泡筒を取り出す様子を示す概略図である。
【図１１】図１１（Ａ）は、実施形態に係る排水トラップの動作を示す断面図であり、図１１（Ｂ）は、比較例の排水トラップの動作を示す断面図である。
【図１２】図１２（Ａ）は、給水口を縦壁部の頂部に配置した変形例１に係る防水パンに排水トラップを取り付けた組立体を示す斜視図であり、図１２（Ｂ）は、給水口を台座部の頂部に配置した変形例２に係る防水パンに排水トラップを取り付けた組立体を示す斜視図である。
【図１３】図１３（Ａ）は、架台を設けず直接載置した変形例４に係る防水パンに排水トラップを取り付けた組立体を示す斜視図であり、図１３（Ｂ）は、同組立体を示す平面図である。
【発明を実施するための形態】
【００１３】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１４】
（実施形態）
本実施形態に係る防水パンに排水トラップを取り付けた組立体３００について、図１〜図１３を参照しながら説明する。
【００１５】
図１に示すように、防水パンに排水トラップを取り付けた組立体３００は、防水パン１００と、防水パン１００の底面部１０が備える取付孔３０に取り付けられた排水トラップ２００と、を備える。以下、防水パン１００および排水トラップ２００について詳細に説明する。
【００１６】
＜防水パン＞
まず、本実施形態に係る防水パン１００の構成を、図１〜図６を参照しながら説明する。
【００１７】
図１は、本実施形態に係る防水パンに排水トラップを取り付けた組立体３００を示す斜視図である。図２は、組立体３００を示す平面図である。図３（Ａ）は、組立体３００を示す正面図であり、図３（Ｂ）は、組立体３００を示す側面図である。図４は、組立体３００を図２中に示す４−４線に沿って示す断面図である。図５（Ａ）は、組立体３００を図２中に示す５−５線に沿って排水トラップ２００を省略して示す部分端面図であり、図５（Ｂ）は、図５（Ａ）の破線部Ｍ１によって囲まれる部分に対応する拡大図である。図６は、組立体３００における洗濯機の設置領域Ｓを示す平面図である。
【００１８】
図１および図２に示すように、本実施形態に係る防水パン１００は、床面（不図示）に設置されて洗濯機が載置される長方形の板状に形成された底面部１０と、底面部１０の外周に設けられた縦壁部２０と、を有する。底面部１０は、排水トラップ２００を取り付ける取付孔３０を備える。以下、各構成要素について詳述する。
【００１９】
底面部１０の外周は、短辺ＳＳおよび長辺ＬＳを備える。また、底面部１０には、架台４０が一体的に形成されている。さらに、底面部１０には、給水口５０ａ、５０ｂが設けられている。
【００２０】
縦壁部２０は、底面部１０の短辺ＳＳ側に設けられる縦壁部２１と、底面部１０の長辺ＬＳ側に設けられる縦壁部２２と、を含む。縦壁部２１、２２は、それぞれ、頂部Ｔを備える。
【００２１】
図２および図４を参照して、縦壁部２１、２２は、それぞれ、防水パン１００を平面視した場合に、当該縦壁部２１、２２がもっとも広くなる部位となる端部Ｌｐを備える。縦壁部２１、２２の高さＨ０は、例えば、５０〜６０ｍｍの範囲内に設定されている。前述の範囲は洗濯機（不図示）の排水ホース（不図示）が後述する排水継手２１０から外れた場合でも洗濯機からの排水が防水パン１００の外に溢れだすことがない高さである。「縦壁部の高さ」は、底面部１０において防水パン１００が床面に設置された際に床面に当接する面と、頂部Ｔとの間の距離を意味する。縦壁部２１、２２の厚みＵは、例えば、１０〜３０ｍｍの範囲内に設定されている。「縦壁部の厚み」は、縦壁部２１、２２の頂部Ｔの幅を意味する。
【００２２】
図５に示すように、取付孔３０は、内周面３１と、内周面３１から径方向内方に突出して形成した第１段差部３２と、第１段差部３２から径方向内方に突出して形成した第２段差部３３と、を備える。内周面３１および第１段差部３２には、後述する目皿受２０８の上部２０８ａが当接する。また、第２段差部３３には、後述する排水トラップ２００のＵ字状パッキン２０７が取り付けられる。
【００２３】
取付孔３０の中心Ｃｐは、底面部１０の短辺ＳＳ側に設けられた縦壁部２１からの距離Ｌが５０ｍｍ以上、かつ、１２３ｍｍ未満の範囲に位置している。取付孔３０の中心Ｃｐを定める基準となる「短辺ＳＳ側に設けられた縦壁部２１から」とは、防水パン１００を平面視した場合に、縦壁部２１において取付孔３０の中心Ｃｐから最も遠い部位を指しており、床面に設置した状態において縦壁部２１の上端、下端、あるいは中間部位のいずれであってよい。本実施形態では、縦壁部２１の端部Ｌｐが、防水パン１００を平面視した場合に、縦壁部２１において取付孔３０の中心Ｃｐから最も遠い部位に相当する。
【００２４】
取付孔３０の直径ｄ０は、８０ｍｍ以上、かつ、１１９ｍｍ未満である。「取付孔の直径」は、平面視した場合に、取付孔３０の最も内側の輪郭の直径を意味している。本実施形態において、取付孔３０の直径ｄ０は、第２段差部３３の内側直径（開口部）である。
【００２５】
再び図４を参照して、架台４０は、洗濯機の脚部（不図示）を載置する載置面４１と、載置面４１から下方に延伸する複数のリブ４２と、を備える。複数のリブ４２は、架台４０に載置された洗濯機の脚部を支持する。
【００２６】
架台４０の高さＨ１は、縦壁部２１、２２の高さＨ０を超えない範囲に設定されている。「架台の高さ」は、底面部１０において防水パン１００が床面に設置された際に床面に当接する面と、架台４０の載置面４１と、の間の距離を意味する。本実施形態において、架台４０の高さＨ１は、１０ｍｍ以上、かつ、６０ｍｍ未満の範囲内に設定されている。
【００２７】
給水口５０ａ（図２参照）は、上水を供給する給水口として使用される。給水口５０ａは、防水パン１００が設置される床面の床下に設置されている上水道管（不図示）に接続される。給水口５０ａと上水道管との接続は公知の技術を使用して行うことができる。
【００２８】
給水口５０ｂ（図２参照）は、浴槽において使用した水を供給する給水口として使用される。給水口５０ｂは、防水パン１００が設置される床面の床下に配置されている残り湯を再利用する設備（不図示）に接続される。具体的には、給水口５０ｂを介して、洗濯機に内蔵されているポンプ（不図示）に接続されているホース（不図示）と、残り湯を再利用する設備の給水管（不図示）とが接続される。あるいは、残り湯を再利用する設備がポンプを内蔵している場合には、給水口５０ｂを介して、上水道管に接続して使用されるものと同様の給水栓（不図示）を、残り湯を再利用する設備の給水管に接続してもよい。
【００２９】
給水口５０ａ、５０ｂは、防水パン１００が設置される床面の床下に配置されている上水道管および残り湯を再利用する設備の配置に応じて代替自在に構成されている。具体的には、上水を供給する給水口として給水口５０ｂを使用して、浴槽において使用した水を供給する給水口として給水口５０ａを使用することもできる。また、給水口５０ａ、５０ｂのうち、いずれか一方のみを使用して、他方を使用しないということも可能である。その場合には、使用しない給水口に蓋（不図示）を取り付けてもよい。
【００３０】
図６を参照して、底面部１０には、洗濯機（不図示）が設置される設置領域Ｓが設定されている。洗濯機は、当該洗濯機の脚部（不図示）が設置領域Ｓ内に含まれるように設置される。設置領域Ｓは、洗濯機が防水パン１００に設置された状態において、洗濯機の下方の領域に含まれる。設置領域Ｓの寸法は、洗濯機の脚部同士の平均的な幅に基づいて定めることができる。本実施形態では、日本国内において使用されている洗濯機の脚部同士の平均的な幅を考慮して設置領域Ｓの幅Ｗ１および奥行Ｄ１をともに、例えば６２０ｍｍとしている。
【００３１】
取付孔３０は、底面部１０において、洗濯機が設置される設置領域Ｓとは異なる箇所に設けられている。より具体的には、洗濯機が設置される設置領域Ｓに近接して設けられている。さらに具体的には、取付孔３０は、一部が設置領域Ｓに重複している。また、架台４０は、洗濯機が設置される設置領域Ｓ内に形成されている。
【００３２】
＜排水トラップ＞
次に、図７〜図９を参照しながら、本実施形態に係る排水トラップ２００の構成について説明する。
【００３３】
図７は、排水トラップ２００を構成部材毎に分解して示す分解斜視図である。図８は、排水トラップ２００が防水パン１００に取り付けられた状態の図５（Ａ）の破線部Ｍ２によって囲まれる部分に対応する拡大図である。図９は、比較例の排水トラップ４００を示す断面図である。
【００３４】
図８を参照して、排水トラップ２００は、洗濯機からの排水Ｆ１が流れ込む第１流路Ｌ１に、防水パン１００の底面部１０内の水Ｆ２が流れ込む第２流路Ｌ２を導くことによって、第１流路Ｌ１と第２流路Ｌ２とを別個に設ける場合（図９比較例参照）に比較して、封水を蓄える椀２０３の直径Ｄａを小さくしてなる。封水は、排水トラップ内に貯留される排水であり、排水管側からの臭い等が室内側に入り込むことを防止する役割がある。
【００３５】
具体的には、排水トラップ２００は、排水を蓄えるとともに当該排水をオーバーフローさせつつ排水管へと流出させる椀２０３と、椀２０３内の排水の一部に浸漬されて排水管側と室内側とを仕切る封水筒２０４と、椀２０３と封水筒２０４を内部に収容した状態において支持する筐体２０１と、を有する。また、排水トラップ２００は、筐体２０１を防水パン１００の取付孔３０に取り付けるとともに目皿２０９を保持する目皿受２０８と、排水を封水筒２０４に導く排水継手２１０と、を有する。以下、各構成要素について詳述する。
【００３６】
筐体２０１は、椀２０３から排出された排水を排水管（下水管）に流通させる排出部２０１ａを備えている。
【００３７】
椀２０３は、側面２０３ｂの上部に複数の開口２０３ｃを備え、その開口２０３ｃの下端に外縁２０３ｄを備えている。椀２０３は、側面２０３ｂの下部と上部を垂直に形成し、側面２０３ｂの中央部を傾斜させて形成されている。側面２０３ｂの下部は、側面２０３ｂの上部と比較して、その径を小さく形成している。
【００３８】
封水筒２０４は、下部２０４ａが椀２０３の底面２０３ａから離間した状態で、椀２０３に収容されている。封水筒２０４は、上部側に形成された第１傾斜部２０４ｃと、下部側に形成された平面部２０４ｄと、第１傾斜部２０４ｃと平面部２０４ｄとを接続する第２傾斜部２０４ｅと、を含む。また、封水筒２０４は、架橋部２０５ｂを介して当該封水筒２０４の上部２０４ｂに接続される継手受け部２０５を備える（図７参照）。継手受け部２０５は、排水継手２１０を収容した状態において保持している。
【００３９】
目皿受２０８の上部２０８ａは、防水パン１００の取付孔３０の内周面３１および第１段差部３２に当接している。目皿２０９は、防水パン１００の底面部１０に溜った排水等を封水筒２０４に排出する。排水継手２１０は、例えば洗濯機の排水ホースを接続し、その排水ホースから排出される排水を封水筒２０４に誘導する。
【００４０】
筐体２０１と目皿受２０８との間は、Ｕ字状パッキン２０７によって密封されている。Ｕ字状パッキン２０７は、防水パン１００の取付孔３０の第２段差部３３に取り付けられる。また、封水筒２０４と目皿受２０８との間は、平状パッキン２０６によって密封されている。Ｕ字状パッキン２０７と目皿受２０８との間は、スリップパッキン２０２によって密封されている（図７参照）。
【００４１】
図８に示すように、排水トラップ２００において、排水継手２１０の内部には、洗濯機からの排水Ｆ１が流入する第１流路Ｌ１が形成されている。また、継手受け部２０５と封水筒２０４の第１傾斜部２０４ｃとの間には、防水パン１００の底面部１０からの水Ｆ２が流れる第２流路Ｌ２が形成されている。そして、第２流路Ｌ２は、封水筒２０４の第２傾斜部２０４ｅによって、第１流路Ｌ１に合流する。これにより、第１流路Ｌ１と第２流路Ｌ２とを別個に設ける場合に比較して、椀２０３の直径Ｄａを小さくしている。「椀の直径」は、椀２０３において底面２０３ａと開口２０３ｃとの間の部分を平面視した場合に、最も外側の輪郭の直径を指している。
【００４２】
図９を参照しながら、第１流路Ｌ１と第２流路Ｌ２とを別個に設ける場合に比較して椀２０３の直径Ｄａが小さくなることについて、比較例の排水トラップ４００の構成と比較して詳しく説明する。
【００４３】
比較例の排水トラップ４００は、筐体４０１と、スリップパッキン４０２（不図示）と、椀４０３と、封水筒４０４と、消泡筒４０５と、平状パッキン４０６（不図示）と、Ｕ字状パッキン４０７と、目皿受４０８と、目皿４０９と、排水継手４１０と、を含む。筐体４０１から椀４０３の構成は、それぞれ、排水トラップ２００の筐体２０１から椀２０３の構成と実質的に同じであるため説明を省略する。また、平状パッキン４０６から排水継手４１０の構成は、それぞれ、排水トラップ２００の平状パッキン２０６から排水継手２１０の構成と実質的に同じであるため説明を省略する。
【００４４】
封水筒４０４は、下部４０４ａが消泡筒４０５の下部４０５ａから離間した状態で、椀４０３に収容されている。消泡筒４０５は、下部４０５ａが椀４０３の底面４０３ａから離間した状態で、椀４０３に収容されている。
【００４５】
排水トラップ４００において、洗濯機からの排水Ｆ１が流入する第１流路Ｌ１は、排水継手４１０の内部に形成されている。そして、防水パンの底面部からの水Ｆ２が流れる第２流路Ｌ２は、封水筒４０４と消泡筒４０５との間に形成されている。すなわち、比較例の排水トラップ４００では、第１流路Ｌ１と第２流路Ｌ２とが別個に設けられている。
【００４６】
一方で、排水トラップ２００では、第１流路Ｌ１に第２流路Ｌ２を導いている（図８参照）。これにより、比較例の排水トラップ４００において形成されている封水筒４０４と消泡筒４０５との間の空間を省略できる。そのため、排水トラップ２００では、排水能力を損なうことなく、比較例の排水トラップ４００と比較して、椀２０３の直径Ｄａを小さくできる。
【００４７】
本実施形態において、排水継手２１０の内径Ｄｂは３０ｍｍより大きく、かつ、４０ｍｍ以下の範囲内に設定されている。また、椀２０３の直径Ｄａは、６０〜７０ｍｍの範囲内に設定されている。一般的な洗濯機に付属される（接続されている）排水ホースの外径は３０ｍｍであるから、排水継手２１０の内径Ｄｂを３０ｍｍより大きく、かつ、４０ｍｍ以下の範囲内にすることにより、一般的な洗濯機の排水ホースに排水継手２１０を接続できる。また、排水継手２１０の内径Ｄｂが３０ｍｍより大きく、かつ、４０ｍｍ以下の範囲内であることにより、洗濯機からの排水が排水ホース内に滞ることなく排水トラップ２００内に流れることができる。さらに、椀２０３の直径Ｄａが６０ｍｍ未満であると、排水トラップ２００の時間当たりの排水流量が比較例と比べて低下していく、また７０ｍｍを超えても時間当たりの排水流量が特に増加していかない。
【００４８】
次に、図１０を参照して、防水パン１００の取付孔３０から排水トラップ２００内の椀２０３および封水筒２０４を取り出すときの動作について説明する。
【００４９】
図１０（Ａ）は、防水パン１００の取付孔３０から排水トラップ２００内の椀２０３および封水筒２０４を取り出す様子を示す概略図であり、図１０（Ｂ）は、比較例の防水パン６００の取付孔６３０から排水トラップ４００内の椀４０３、封水筒４０４および消泡筒４０５を取り出す様子を示す概略図である。図１０（Ａ）と（Ｂ）および図１３（Ａ）と（Ｂ）は、架台４０を設けずに、洗濯機５００を防水パンに直接載置する場合を例に説明しているが、架台４０を設けた場合についても説明の内容に実質的な差異は生じない。
【００５０】
図１０（Ａ）および図１０（Ｂ）において、防水パン１００の幅Ｗ０と、防水パン６００の幅は同じである。そして、防水パン１００における取付孔３０の中心Ｃｐは、縦壁部２１からの距離Ｌが１２３ｍｍ未満の範囲にある。一方で、防水パン６００の取付孔６３０の中心Ｃｐｃは、縦壁部６２１からの距離Ｌｃが１２３ｍｍに設定されている。また、防水パン１００および防水パン６００に載置されている洗濯機５００のサイズは同じである。
【００５１】
図１０（Ｂ）に示すように、比較例の防水パン６００に洗濯機５００を載置した状態では、排水トラップ４００内の椀４０３、封水筒４０４および消泡筒４０５を取付孔６３０から取り出すときに、洗濯機５００の下部と封水筒４０４が接触してしまう。そして、排水トラップ４００は、封水筒４０４を取り出さなければ、椀４０３および消泡筒４０５を取り出せない構造になっている。そのため、洗濯機５００を載置した状態では、椀４０３、封水筒４０４および消泡筒４０５を取り出すことができない。
【００５２】
一方で、図１０（Ａ）に示すように、本実施形態に係る防水パン１００の場合、縦壁部２１からの距離Ｌが１２３ｍｍ未満の範囲に取付孔３０の中心Ｃｐを配置することにより次のことが可能になる。すなわち、洗濯機の設置領域Ｓに取付孔３０が近接して配置されていても、防水パン６００と比較して防水パン１００の幅Ｗ０を増加させることなく、排水トラップ２００内の椀２０３および封水筒２０４を容易に取り出すことができる。具体的には、排水トラップ２００内の椀２０３および封水筒２０４を取付孔３０から取り出すときに、洗濯機５００の下部と椀２０３および封水筒２０４が接触することを防ぐことができる。そのため、洗濯機５００を直接載置した状態でも、椀２０３および封水筒２０４を容易に取り出すことができる。上述したように防水パン１００の幅Ｗ０と防水パン６００の幅は同じであるから、設置幅を増加させることなく、排水トラップのメンテナンス性を向上させることができる。
【００５３】
なお、本実施形態では、［１０ｍｍ（縦壁部２１の厚みＵの下限）］＋［８０ｍｍ（取付孔３０の直径ｄ０の下限）／２］＝５０ｍｍを、底面部１０の短辺ＳＳ側に設けられた縦壁部２１から取付孔３０の中心Ｃｐまでの距離Ｌの下限に設定している。しかしながら、設置幅を増加させることなく、排水トラップのメンテナンス性を向上させるという効果に関する限りにおいて、取付孔３０の中心Ｃｐまでの距離Ｌに下限を設けることは特に必要とされない。また、縦壁部２１から取付孔３０の中心Ｃｐまでの距離Ｌが５０ｍｍ以上、かつ、１２３ｍｍ未満である防水パン１００に取り付け可能な排水トラップ２００を製作して脱着の確認をしたところ問題ないことを確認した。
【００５４】
次に、図１１を参照して、本実施形態に係る排水トラップ２００の動作について説明する。なお、以下では、洗濯機からの排水Ｆ１と防水パン１００の底面部１０からの水Ｆ２とが、同時に排水トラップ２００に流入する場合を例に排水トラップ２００の動作について説明している。しかしながら、洗濯機からの排水Ｆ１と防水パン１００の底面部１０からの水Ｆ２のいずれか一方が排水トラップ２００に流入する場合でも、排水トラップ２００の動作に実質的な差異はない。
【００５５】
図１１（Ａ）は、排水トラップ２００の動作を示す断面図であり、図１１（Ｂ）は、比較例の排水トラップ４００の動作を示す断面図である。図１１（Ａ）および図１１（Ｂ）は、防水パン１００と排水継手２１０（４１０）の一部を省略して示している。
【００５６】
まず、図１１（Ｂ）を参照して、比較例の排水トラップ４００の動作について説明する。図１１（Ｂ）に示すように、排水トラップ４００において、洗濯機からの排水Ｆ１は、排水継手４１０の内部に形成された第１流路Ｌ１に流入する。第１流路Ｌ１に流入した排水は、消泡筒４０５の下部４０５ａと椀４０３の底面４０３ａとの間のすき間を通って、椀４０３と封水筒４０４との間に形成された空間に流入する。一方で、防水パンの底面部から流れ込む水Ｆ２は、第２流路Ｌ２に流入する。第２流路Ｌ２に流入した排水は、封水筒４０４の下部４０４ａと、消泡筒４０５の下部４０５ａとの間のすき間を通って、椀４０３と封水筒４０４との間に形成された空間に流入する。椀４０３と封水筒４０４との間に形成された空間に流入した排水は、開口４０３ｃの下端の外縁４０３ｄから椀４０３の外部へ流出する。椀４０３の外部へ流出した排水は、筐体４０１の排出部４０１ａに接続されている下水管へと流出する。
【００５７】
一方、図１１（Ａ）に示すように、排水トラップ２００において、洗濯機からの排水Ｆ１は、排水継手２１０の内部に形成された第１流路Ｌ１に流入する。また、防水パン１００の底面部１０から流れ込む水Ｆ２は、第２流路Ｌ２に流入する。そして、第２流路Ｌ２に流入した水Ｆ２は、第１流路Ｌ１からの排水Ｆ１と合流する。合流した第１流路Ｌ１からの排水Ｆ１および第２流路Ｌ２に流入した水Ｆ２は、封水筒２０４の下部２０４ａと椀２０３の底面２０３ａとの間のすき間と通って、椀２０３と封水筒２０４との間に形成されている空間に流入する。そして、椀２０３と封水筒２０４との間に形成されている空間に流入した排水は、開口２０３ｃの下端の外縁２０３ｄから椀２０３の外部へ流出する。椀２０３の外部へ流出した排水は、筐体２０１の排出部２０１ａに接続されている下水管へと流出する。
【００５８】
次に、本実施形態に係る防水パン１００および排水トラップ２００の技術的な意義について説明する。
【００５９】
まず、本実施形態に係る防水パン１００の構成によれば、洗濯機を直接載置した場合であっても排水トラップのメンテナンス性を維持することが可能な設置幅を増やす必要のない防水パンを提供できる。
【００６０】
具体的には、従来の防水パンにおいて、縦壁部２１から取付孔３０の中心Ｃｐまでの距離は、一般財団法人ベターリビングが定める優良住宅部品認定基準に基づいて１２３ｍｍに設定されている。一方で、本実施形態に係る防水パン１００において、取付孔３０の中心Ｃｐは、底面部１０の短辺ＳＳ側に設けられた縦壁部２１から１２３ｍｍ未満の範囲に位置している。これにより、取付孔３０を洗濯機の設置領域Ｓとは異なる位置に配置しても、従来の防水パンと比較して設置幅を小さくできる。従って、洗濯機を直接載置した場合であっても排水トラップのメンテナンス性を維持することが可能な設置幅を増やす必要のない防水パンを提供できる。
【００６１】
また、従来の防水パンにおいて、取付孔の直径は、一般財団法人ベターリビングが定める優良住宅部品認定基準に基づいて１１９ｍｍに設定されている。一方で、本実施形態に係る防水パン１００において、取付孔３０の直径ｄ０は、８０ｍｍ以上、かつ、１１９ｍｍ未満である。直径ｄ０が８０ｍｍ以上かつ１１９ｍｍ未満である取付孔３０に取り付け可能な排水トラップ２００を製作し実験したところ使用上問題ないことを確認した。ここで、日本国内において住居等に防水パンを設置する際に、防水パンの幅が７５０ｍｍ以下であることが要求されることが多い。本実施形態に係る取付孔３０の直径ｄ０は８０ｍｍ以上、かつ、１１９ｍｍよりも小さいから、取付孔３０の直径ｄ０を、例えば９０ｍｍとすることができる。また、縦壁部２１の厚みＵは、例えば２０ｍｍとすることができる。さらに、日本国内において流通している洗濯機の脚部同士の幅は、例えば６２０ｍｍ程度である。すなわち、洗濯機の設置領域Ｓの幅Ｗ１は、６２０ｍｍ程度あれば十分である。そのため、取付孔３０を洗濯機の設置領域Ｓとは異なる位置に配置しても、防水パン１００の幅Ｗ０を、２０ｍｍ×２（縦壁部２１の厚みＵ×２）＋６２０ｍｍ（載置領域の幅Ｗ１）＋９０ｍｍ（取付孔３０の直径ｄ０）＝７５０ｍｍ以下に抑えることができる。このことは、幅を７５０ｍｍ以下に抑えることが要求される防水パンに係る発明において重要な意義がある。
【００６２】
次に、本実施形態に係る排水トラップ２００の構成によれば、排水能力を損なうことなく封水を蓄える椀２０３の直径を小さくできる。これにより、取付孔３０の中心Ｃｐが底面部１０の短辺ＳＳ側に設けられた縦壁部２１から１２３ｍｍ未満の範囲に位置している防水パン１００に対して排水トラップ２００を適用できる。
【００６３】
具体的には、取付孔３０の中心Ｃｐが縦壁部２１から１２３ｍｍ未満の範囲に位置していることにより、取付孔の中心が縦壁部から１２３ｍｍの位置にある従来型の防水パンの取付孔と比較して、防水パン１００の取付孔３０の直径ｄ０は小さくなる。
【００６４】
ここで、従来型の排水トラップは、取付孔の中心が縦壁部から１２３ｍｍに設定されている従来型の防水パンに使用されることを前提に設計されている。そのため、従来型の排水トラップの構成では、排水トラップを小型化することができない。これに対して、本実施形態に係る排水トラップ２００の構成によれば、排水能力を損なうことなく封水を蓄える椀２０３の直径Ｄａを小さくできる。これにより、従来型の排水トラップと比較して、洗濯機の排水を円滑に行うのに十分な排水能力を確保した上で、排水トラップを小型化できる。そのため、本実施形態に係る排水トラップ２００は、従来型の防水パンの取付孔と比較して取付孔３０の直径ｄ０が小さい本実施形態に係る防水パン１００と組み合わせて使用するのに適している。
【００６５】
また、本実施形態に係る排水トラップ２００において、椀２０３の直径Ｄａは、６０〜７０ｍｍの範囲内に設定されている。これにより、取付孔３０の第２段差部３３に取り付けられるＵ字状パッキン２０７の取付径Ｄｃ（図８参照）を、例えば８０〜９０ｍｍとすることができる。すなわち、排水トラップ２００は、取付孔３０の直径ｄ０が８０〜９０ｍｍの防水パン１００と組み合わせて使用するのに適している。上述したように、取付孔３０の直径ｄ０を例えば９０ｍｍとすることにより、防水パン１００の幅Ｗ０を７５０ｍｍとすることができる。従って、排水トラップ２００は、幅Ｗ０が７５０ｍｍの防水パン１００と組み合わせて使用するのに適している。
【００６６】
（作用・効果）
本実施形態に係る防水パン１００は、床面に設置されて洗濯機が載置される長方形の板状に形成された底面部１０と、底面部１０の外周に設けられた縦壁部２０と、を有する。底面部１０は、排水トラップ２００を取り付ける取付孔３０を備え、取付孔３０の中心Ｃｐは、底面部１０の短辺ＳＳ側に設けられた縦壁部２１から５０ｍｍ以上、かつ、１２３ｍｍ未満の範囲に位置する。
【００６７】
このような構成によれば、洗濯機の設置領域Ｓに取付孔３０が近接して配置されていても、従来の防水パン６００と比較して防水パン１００の幅Ｗ０を増加させることなく、排水トラップ２００を容易に取り出すことができる。従って、洗濯機を直接載置した場合であっても排水トラップのメンテナンス性を維持することが可能な設置幅を増やす必要のない防水パンを提供できる。
【００６８】
また、本実施形態に係る防水パン１００において、取付孔３０の直径ｄ０は、８０ｍｍ以上、かつ、１１９ｍｍよりも小さい。
【００６９】
このような構成によれば、取付孔３０の直径ｄ０が１１９ｍｍよりも小さいことにより、防水パン１００の幅Ｗ０の増加をより確実に抑えることができる。また、取付孔３０の直径ｄ０が８０ｍｍ以上であることにより、洗濯機の排水を円滑に行うことが可能な排水能力を備えた排水トラップを取り付けることが容易になる。
【００７０】
また、本実施形態に係る防水パン１００において、底面部１０には、洗濯機の脚部を載置する載置面４１を備えるとともに載置面４１が縦壁部２１、２２の高さＨ０を超えない架台４０が一体的に形成されている。
【００７１】
このような構成によれば、架台４０が設けられることにより、洗濯機の設置領域Ｓに一部が重複するように取付孔３０を配置できる。これにより、防水パン１００の幅Ｗ０の増加をさらに抑えることができる。また、洗濯機の脚部を載置する載置面４１が縦壁部２１、２２の高さＨ０を超えないことにより、次のことが可能になる。すなわち、縦型の洗濯機および横型の洗濯機のいずれが設置された場合であっても、洗濯物の投入口の床面からの高さを、洗濯物の出し入れ等の作業が容易に行える高さとすることができる。
【００７２】
また、本実施形態に係る防水パン１００は、給水口５０ａ、５０ｂを備える。
【００７３】
このような構成によれば、防水パン１００が設置される住居等の壁面に給水口を設ける必要がなくなる。これにより、住居等における給水設備の設置が容易になるとともに、住居等の壁面に係る意匠性を向上させることができる。
【００７４】
また、本実施形態に係る防水パン１００において、給水口５０ａ、５０ｂは、底面部１０に配置されてなる。
【００７５】
このような構成によれば、床面に設置される底面部１０に給水口５０ａ、５０ｂが配置されることにより、住居等において床下に設置されている給水設備と給水口５０ａ、５０ｂとの接続が容易になる。
【００７６】
また、本実施形態に係る防水パン１００において、給水口５０ｂは、浴槽において使用した水の供給用の給水口である。
【００７７】
このような構成によれば、住居等において床下に設置されている浴槽の残り湯の再利用設備から給水口５０ｂを介して洗濯機に水を供給できる。これにより、浴槽の残り湯の給水口を住居等の壁面に配置する必要がなくなる。そのため、住居等における残り湯の再利用設備の設置が容易になる。
【００７８】
また、本実施形態に係る排水トラップ２００は、洗濯機からの排水Ｆ１が流れ込む第１流路Ｌ１に、底面部１０内の水Ｆ２が流れ込む第２流路Ｌ２を導くことによって、第１流路Ｌ１と第２流路Ｌ２とを別個に設ける場合に比較して、封水を蓄える椀２０３の直径Ｄａを小さくしてなる。
【００７９】
このような構成によれば、排水能力を損なうことなく封水を蓄える椀２０３の直径Ｄａを小さくできる。これにより、従来型の排水トラップと比較して、洗濯機の排水を円滑に行うのに十分な排水能力を維持した上で小型化できる。小型化は、取付孔３０から排水トラップ２００を取り出す作業を容易にして、排水トラップ２００のメンテナンス性を向上させる。従って、洗濯機の排水を円滑に行うのに十分な排水能力を備えたメンテナンス性の高い排水トラップを提供することができる。
【００８０】
また、本実施形態に係る排水トラップ２００において、椀２０３の直径Ｄａは、６０〜７０ｍｍである。
【００８１】
このような構成によれば、排水トラップ２００を取り付けるのに必要な取付孔の直径を例えば９０ｍｍとすることができる。これにより、排水トラップ２００は、取付孔３０の直径ｄ０が９０ｍｍの防水パン１００と組み合わせて使用するのに適している。すなわち、幅Ｗ０が７５０ｍｍの防水パン１００と組み合わせて使用するのに適した排水トラップを提供できる。
【００８２】
また、本実施形態に係る防水パンの組立体３００は、防水パン１００と、防水パン１００の底面部１０が備える取付孔３０に取り付けられた排水トラップ２００と、を含む。
【００８３】
このような構成によれば、洗濯機の排水を円滑に行うのに十分な排水能力を備えるとともに、洗濯機を直接載置した場合であっても排水トラップのメンテナンス性を維持することが可能な設置幅を増やす必要のない防水パンを提供できる。
【００８４】
（変形例１）
上述した実施形態において、給水口５０ａ、５０ｂは底面部１０に配置されたが、給水設備に接続できる限りにおいて、防水パンの任意の部位に配置できる。
【００８５】
例えば、図１２（Ａ）に示すように、給水口５０ａ、５０ｂを、縦壁部２１の頂部Ｔに配置してもよい。このような構成によれば、底面部１０のうち設置領域Ｓ以外の部分を有効に利用することができる。例えば、底面部１０のうち設置領域Ｓ以外の部分に、洗濯に使用する器物等を置くことができる。なお、図１２（Ａ）では、給水口５０ａ、５０ｂを縦壁部２１の頂部Ｔに配置する場合を例示しているが、給水口５０ａ、５０ｂを縦壁部２２の頂部Ｔに配置してもよい。
【００８６】
（変形例２）
また、図１２（Ｂ）に示すように、底面部１０に、頂部Ｔ２の高さが底面部１０より高く縦壁部２１、２２の高さ未満の台座部６０を設けて、台座部６０の頂部Ｔ２に給水口５０ａ、５０ｂを配置してもよい。このような構成によれば、上水道管の一部が給水栓の取り付けのために床面から突出して配置されている場合において、上水道管の床面から突出した部分を台座部６０によって覆い隠すことができるため意匠性が向上する。
【００８７】
（変形例３）
また、上述した実施形態では、架台は、底面部１０に一体的に設けられたが、底面部１０に対して着脱自在に取り付けられてもよい。これにより、洗濯機の種類に応じた洗濯物の投入口の高さの調整が容易になる。
【００８８】
（変形例４）
さらに、図１３（Ａ）、（Ｂ）に示すように、防水パンにおいて架台が底面部１０に設けられていない形態としてもよい。当該形態によっても、上述した本発明の課題が解決されることは明らかである。
【００８９】
なお、本発明は上述した実施形態およびその変形例にのみ限定されず、特許請求の範囲において種々の変更が可能である。
【００９０】
例えば、上述した実施形態およびその変形例において、給水口は２つ設けられたが、給水口が１つだけ設けられる形態としてもよい。
【符号の説明】
【００９１】
１０    底面部
２０    縦壁部
２１    短辺側に設けられた縦壁部
２２    長辺側に設けられた縦壁部
３０    取付孔
４０    架台
５０ａ、５０ｂ  給水口
１００  防水パン
２００  排水トラップ
２０１  筐体
２０２  スリップパッキン
２０３  椀
２０４  封水筒
２０５  継手受け部
２０６  平状パッキン
２０７  Ｕ字状パッキン
２０８  目皿受
２０９  目皿
２１０  排水継手
３００  組立体
３１０  排水継手
Ｃｐ    中心
Ｆ１    排水
Ｆ２    水
Ｈ０    高さ
Ｈ１    高さ
Ｌ１    第１流路
Ｌ２    第２流路
ＬＳ    長辺
Ｌｐ    端部
ＳＳ    短辺
Ｔ、Ｔ２  頂部
Ｄａ    椀の直径
Ｄｂ    排水継手の内径
ｄ０    取付孔の直径
【図１】
2017002547.tif 000003
【図２】
2017002547.tif 000004
【図３】
2017002547.tif 000005
【図４】
2017002547.tif 000006
【図５】
2017002547.tif 000007
【図６】
2017002547.tif 000008
【図７】
2017002547.tif 000009
【図８】
2017002547.tif 000010
【図９】
2017002547.tif 000011
【図１０】
2017002547.tif 000012
【図１１】
2017002547.tif 000013
【図１２】
2017002547.tif 000014
【図１３】
2017002547.tif 000015